(57)【要約】【課題】  清掃装置における前記不利益を回避し且つ除去すること。【解決手段】  水洗便所（１）用の組合せ保管清掃装置は、剛毛（６）を備えたブラシヘッド（１１’）をもつブラシ（１１）を包含する。この装置は、構造体（３）の下部分（３’）におけるヘッド（１１’）を収容する保管位置において、ブラシを包囲して壁構造体内でブラシを軸方向（矢印１５）に移動させる壁構造体を有する。この構造体は好ましくは中間壁部分（５）をもつ開口（４）から成る円形円筒壁構造体（３，４，５）であり、中間壁部分の少なくとも一つの軸方向に延びる領域（３”）がブラシヘッド（１１’）の外径より小さい内径を有して、ブラシ（１１）が構造体（３，３．１−３．４）内に移動されるときにブラシヘッド（１１’，１１”）の剛毛（６）が前記少なくとも一つの壁部分（３”）により一時的に曲げられ（６’）、次に開口（４）に到達するときに後方へ回し、そこで、ブラシ剛毛（６）が清掃作用を受けて、保管位置における構造体はブラシ（１１）の少なくともヘッド（１１’）がカバーされているようなレベル（１０）に集合体を包囲する水中に浸漬される。
2007530841.tif 000002
【特許請求の範囲】
【請求項１】
軸（７，５３）或いはハンドル（７’，５８）に接続された実質的に円筒状ブラシヘッド（１１’，１１”）から成るブラシ（１１）を包含し、ブラシヘッド（１１’，１１”）がそれ自体公知の形式に半径方向に延びる剛毛（６）を備えている好ましくは水洗便所（１）などの清掃装置において、組合せ保管清掃組立体はブラシ（１１）を包囲し且つブラシが構造体（３，３．１−３．４）内に軸方向に移動できる実質的に円筒状構造体（３，３．１，３．２，３．３，３．４）から成り、その構造体はブラシ（１１）の保管位置において構造体（３，３．１−３．４）の下部分に静止するブラシ（１１）のヘッド（１１’，１１”）を収容し、前記円筒状構造体は好ましくは中間壁部分（５，５．１，５．２，５．３，５．４）に残る開口（４，４．１，４．２，４．３，４．４）から成る円形円筒壁構造体であり、中間壁部分の少なくとも一つの軸方向に延びる領域（３”）がブラシヘッド（１１’，１１”）の外径より小さい内径を有して、ブラシ（１１）が構造体（３，３．１−３．４）内に移動されるときにブラシヘッド（１１’，１１”）の剛毛（６）が前記少なくとも一つの壁部分（３”）により一時的に曲げられ（６’）、次に開口（４，４．１−４．４）に到達するときに後方へ回し、そこで、ブラシ剛毛（６）が清掃作用を受けて、保管位置における構造体はブラシ（１１）の少なくともヘッド（１１’，１１”）がカバーされているようなレベル（１０，１０’）に集合体を包囲する水中に浸漬されることを特徴とする清掃装置。
【請求項２】
構造体（３）はコイルワイア（３）、好ましくはばねワイアの形態を有し、その構造体はその一領域（３”）内で半径方向に収縮されて、前記少なくとも一つの軸方向に延びる領域（３”）を形成し、ばねの巻数（５）間の空間（４）が壁構造体（３）の開口（４）を形成し、前記開口が壁部分（５）を限定することを特徴とする請求項１に記載の装置。
【請求項３】
ばね（３）の各端部（３’）において、端部（３’）を横方向と軸方向に支持する支持体（１７，１８；２４）が配列されていることを特徴とする請求項２に記載の装置。
【請求項４】
支持体（１７，１８；２４）は、ばねの軸方向において、それぞれに水槽の底と天井からの延長部（１７，１８；２４）から成り、各延長部（１７，１８；２４）の高さは、ブラシ（１１）が壁構造体（３）内に軸方向に移動され且つブラシヘッド（１１’，１１”）の剛毛（６）が曲げられ（６’）、ばね（３）の巻数に軸方向圧力を働かすときに、ばねの端部（３’）が支持体（１７，１８；２４）から持ち上げられないように設計されていることを特徴とする請求項３に記載の装置。
【請求項５】
ばね（３）の下部分（３’）の内径はブラシヘッド（１１’，１１”）の外径より大きく、それでブラシヘッドが自由位置に保管されることを特徴とする請求項２に記載の装置。
【請求項６】
壁構造体（３．１，３．２）は、構造体（３．１，３．２）の軸線の横方向に配列され且つ軸方向ロッド（１２，１３）により相互連結された複数のリング（５．１，５．２）から構成され、それで開口がリング（５．１，５．２）とロッド（１２，１３）により形成されていることを特徴とする請求項１に記載の装置。
【請求項７】
壁構造体（３．３，３．４）は、好ましくはシェルから内方に打ち抜かれた舌片或いはフラップ（５．４）を有する穿孔（４．３，４．４）により貫通された円筒状金属或いはプラスチックシェルから構成され、構造体の自由内径がブラシヘッド（１１’，１１”）の外径より小さいことを特徴とする請求項１に記載の装置。
【請求項８】
ブラシ（１１）の軸（７，５３）の上部材がテンプレート（８）を備えて上開口（４１）をカバーし、その開口を通してブラシ（１１）が構造体（３，３．１−３．４）内に導入されることを特徴とする請求項１に記載の装置。
【請求項９】
装置は壁構造体（３，３．１−３．４）とブラシ（１１’，１１”）を収容する別体のハウジング（２５）から成り、前記ハウジング（２５）が便所の水槽（２’）の外側に固定され、洗浄水をハウジングからや水洗便所の水槽からハウジングまで流して、それでハウジング（２５）内の水レベル（１０’）を水洗便所の水槽（２’）と同じレベル（１０）に保つ流体接続部（３０，４９）を包含することを特徴とする請求項１に記載の装置。
【請求項１０】
ブラシの軸（５３）は好ましくはヘッド（１１”）とブラシ軸（５３）の間のバヨネット状継手によってブラシのヘッド（１１”）に分解自在且つ回転可能に連結され、ヘッドは内方に向いた端フック（５６’）或いはつめを有する複数の軸方向突出弾性アーム（５６）を備えて、その端フック或いはつめは、ブラシヘッド（１１”）が軸端（６３）に押圧されるときに、外方に曲げられる円錐状軸部分（６２）により適合されて、本体（６１）の端面（６１’）の後方に固定し、それでブラシヘッド（１１”）を軸（５３）に固定し、前記本体（６１）は軸（５３）と一体化されて軸端（６３）より大きい直径を有し、前記円錐状軸部分（６２）は切頭円錐状部分（６２）から成り、その部分の端直径がそれぞれに軸（６３）と本体（６１）の直径に一致することを特徴とする請求項１に記載の装置。
【請求項１１】
前記本体（６１）はその円筒状外面にカム（６４）を有し、螺旋形成面の一部を形成し、ブラシヘッド（１１”）の固定した位置における前記カム（６４）はフック（５６’）の下の短い距離に位置されて、それらカムが軸（５３）の回転によりアーム（５６）を外方へ強制してアーム（５６）のフック（５６’）が前記本体面（６１’）を離脱させ且つブラシヘッド（１１”）を軸方向に開放させることを特徴とする請求項１０に記載の装置。
【発明の詳細な説明】
【技術分野】
【０００１】
この発明は、軸或いはに接続された実質的に円筒状ブラシヘッドから成るブラシを包含し、ブラシヘッドがそれ自体公知の形式に半径方向に延びる剛毛を備えている水洗便所などの清掃装置に関する。
【背景技術】
【０００２】
この種の清掃装置は例えば米国特許第５６４０７２２号明細書（特許文献１）とスウエーデン特許第５２１５４５号明細書（特許文献２）により知られている。前記装置のブラシはテンプレートにより懸架されるか、或いは保管されたときに円錐状に形成されたワイア構造体に固定されている。
【０００３】
それ故、既に知られた清掃装置の不利益は、ブラシが不満足に清掃され得て、例えば便所の床上の空気中に、しばしば開放容器に開放して貯蔵されることである。すべてこれは著しく危険な汚染を意味する。
【特許文献１】米国特許第５６４０７２２号明細書
【特許文献２】スウエーデン特許第５２１５４５号明細書
【発明の開示】
【発明が解決しようとする課題】
【０００４】
本発明の目的は、請求項１の序文に基づく清掃装置における前記不利益を回避し且つ除去することである。
【課題を解決するための手段】
【０００５】
この目的は前記請求項の特徴部分の手段によって達成される。さらに、開発は従属請求項に開示されている。
【０００６】
この発明の要旨は、ブラシが使用されていないときに水洗便所の水槽内、水槽自体に或いは水槽の外側に、しかし同じ水槽に連結された別体の装置内の洗浄水により保管包囲されていることである。保管では、ブラシが周囲空気から絶縁されて、洗浄水の一部である水容積、水地域により包囲されている。ブラシはさらに装置により清掃される。
【０００７】
この発明の目的は、ブラシを包囲し且つブラシが構造体内に軸方向に移動できる実質的に円筒状構造体から成り、その構造体がブラシの保管位置において構造体の下部分に静止するブラシのヘッドを収容し、前記円筒状構造体が好ましくは中間壁部分に残る開口から成る円形円筒壁構造体であり、中間壁部分の少なくとも一つの軸方向に延びる領域がブラシヘッドの外径より小さい内径を有して、ブラシが構造体内に移動されるときにブラシヘッドの剛毛が前記少なくとも一つの壁部分により一時的に曲げられ、次に開口に到達するときに後方へ回し、そこで、ブラシ剛毛が清掃作用を受けて、保管位置における構造体はブラシの少なくともヘッドがカバーされているようなレベルに集合体を包囲する水中に浸漬される組合せ保管清掃組立体によって達成される。
【０００８】
この発明のそれ以上の利点は、便器が洗浄されるときにブラシが余分な清掃作用を受けることである。
【発明を実施するための最良の形態】
【０００９】
この発明は、次に、添付図を参照して説明される。
【００１０】
図１では、図の左部分Ａは、洗浄水水槽２をもつ水洗便所を部分的断面で例示する。水槽蓋は９により示され、３は螺旋ばねの形態の壁構造体である。ばねの端部は３’により示される。ばね３の中間軸方向領域３”は端部３’の直径より小さい直径を有する。軸方向領域３”の内径は同様にブラシヘッド１１’と剛毛６の外径より小さい。ばねのワイアの巻数間の自由空間は壁構造体の開口４を形成する。開口４の間には、壁部分５がある。この実施例では、ばねワイア巻数は壁部分を構成する。
【００１１】
番号７はブラシの軸を示し、７’はブラシのハンドルであり、８は保管されたときに支持リング２４上のブラシを支持するテンプレートを示す。１１’は、後でさらに詳細に記載される複数の剛毛６から成るブラシヘッドを示す。図Ａから、保管位置におけるブラシヘッド１１’は、水の通常レベル１０がブラシヘッド１１’上にあるときに水槽中の水の容積に、水地域に浸漬されることが明らかである。
【００１２】
上ばね端部３’は支持リング２４のカラー１８により横方向と軸方向に支持され、そして下ばね端部３’は水槽９の底の一部を形成する延長部１７により同様な形式に支持されている。据え付けられるときに、ばね３は支持リング２４と底延長部１７の間に押圧されるように予め付勢されている。この理由は、後で説明される。
【００１３】
図１の右断面Ｂは円により示された図Ａの装置１の拡大部分である。断面Ｂは、図Ｂで確認できるように、ブラシヘッド１１’がブラシヘッドの清掃用のばね／壁構造体を介して（矢印１５）上方に移動されるときの状況においてばね３の中間の制限された軸方向領域３”に配置されている。軸方向壁構造体領域３”の内径がブラシヘッド１１’の外径より小さいときに、剛毛６’は壁部分５により下方に曲げられる。次に、剛毛は、それらが開口４に到達するまで壁部分５に沿って摺動する。次に、剛毛は壁部分５から自由とされ開口４へ回され、剛毛は塵粒子が剛毛から放出されるときに真直ぐな部分６に戻させる。そのような粒子は水により吸収されて水中に分離され、後で水槽の外で洗浄される。ブラシが反対方向に矢印１５へ移動されるときに、清掃効果が達成されるけれども、剛毛６は反対方向に曲げられ、図Ｂに例示された剛毛６’にされる。
【００１４】
図１Ｂから、剛毛６’が曲げられるときに剛毛６’が圧力を上方へ壁構造体部分５上に働かすことは明らかである。これは、ばねがブラシヘッド１１’上で運動方向に圧縮され、ブラシヘッド１１’の下に上方へ持ち上げられる。不適切に設計されるならば、ばね３は水槽２の底で下支持体１７から持ち上げられる。
【００１５】
逆に、ブラシが反対方向に矢印１５（下方）へ移動されるときに、ブラシは上支持体２４のカラー１８に向く。カラー１８はばね端部３’が支持カラー１８から離れられないように軸方向延長部を有しなければならない。前記状況を回避するために、ばねは圧力下のその支持面をブラシの清掃作用から退去しない範囲まで予め付勢されている。
【００１６】
図２は、既に説明された記号をもつばね３を示す。ばねワイア巻数とその間の距離は構造体壁３を構成する。ばねの下端部３’の直径は、ブラシヘッド１１’がそれに自由に保管されるように、選択され得る。
【００１７】
図３と４は好ましくはプラスチック材料の射出成形の壁構造体を示し、この構造体は同じ基本概念の二つの態様である。図では、図１の要素と同じ機能を有する要素は、同じ主記号を有するけれども、付加記号．１や．２を備えている。それ故に、壁構造体は壁構造体３．１，３．２の軸線に横方向に配列された複数のリング５．１，５．２を有する。リング５．１，５．２は、そのリング５．１，５．２のそれぞれに内外側面に取付けられたそれぞれに軸方向延長リブ１２と１３によって連結されている。リング５．１，５．２の間には、開口４．１，４．２が形成されている。
【００１８】
図５と６はそれぞれに図３と４の構造体３．１，３．２の端面図ＡーＡとＢーＢである。壁構造体３の直径はブラシヘッドの直径より小さい。    
【００１９】
図７は、金属或いはプラスチック材料のシートの構造体３．３ｅを表し、この構造体は平らな形状で複数の互い違いになった孔４．３により穿孔されて、シートの端部を連結することによってシリンダに圧延成形されている。壁構造体は開口４．３と中間壁部分５．３とを有する。図９は図７の構造体の端面図である。壁部分５．３の内径はブラシヘッド１１’の外径より小さい。
【００２０】
図８は、壁構造体３．４の細長い開口４．４を形成する横方向切断孔４．４を有する壁構造体３．４の他の第四実施例を例示する。図１０は、図８の構造体の端面図である。孔４．４の材料は内方に押圧されていて、ブラシを清掃する壁部分５．４を構成する。それ故に、舌片間の自由内径はブラシヘッド１１’の外径より小さくなければならない。
【００２１】
最終的に、図３乃至１０に例示された壁構造体がすべて剛性であることが注目される。これは、壁構造体が構造体の天辺端のみに固定支持されて、下位置におけるブラシヘッドは剛毛が保管位置にて変形されないことを意味する構造体の下にあるような長さに与えられることを意味する。
【００２２】
図１１は、既に説明された記号を備えるブラシを例示する。さらに、テンプレート８の縁には切断部６０が配列されている。これら切断部６０によって、テンプレート８或いは水洗便所蓋９の天辺にことにより収集された水は水槽２へ流れ込み得る。
【００２３】
図１２は、分解可能なブラシヘッド１１”を備えるブラシを例示する。この実施例は、汚れて擦り減ったブラシを新しいブラシと交換できる場合には、さらに衛生的装置を表現する。この目的のために、軸５３とブラシヘッド１１”は、それらがそれぞれに軸５３とブラシヘッド１１”に配列された開放可能な相互固定要素によって分離されるように、形成されている。図１２における追加的記号は：５８がブラシのハンドルであり、５６がブラシヘッドのアームであり、５６’がアームの端部におけるフックであって、軸本体６１の背面６１’をつかみ、６２が軸の円錐状部分であり、６４が本体６１上のカムである。これは、図１３、１４、１５、１６と１７を参照してさらに詳細に論じられる。
【００２４】
図１３と１４では、それぞれに断面Ｖ−Ｖと観察面Ｕ−Ｕでは、ブラシヘッド１１”は
軸５３の端部を採用してブラシヘッド１１”の剛毛６を保持する中心スリーブ５７から成る。ヘッド１１”の天辺には、四つの弾性且つ軸方向延長アーム５６が配列されており、これらアームは内方突出しフック５６’を有して、それでブラシを軸に固定する。
【００２５】
図１５は、ハンドル５８、切断部６０をもつテンプレート５９、軸５３、軸端部６３、ロック部分６１、６１’を備えるブラシ軸を例示する。前記部分は軸端部６３と円筒状部分６１の間に円錐状形状を有し、この円筒状部分が開放カム６４を保持する。
【００２６】
図１６は、図１５の観察面Ｙ−Ｙであり、ブラシヘッド１１”が軸本体６１に固定されて、フック５６’が本体６１の円形端面６１’をつかむ位置において本体６１、開放カム６４、アーム５６とフック５６’を例示する。  
【００２７】
図１７は、種々の要素の位置を例示し、この位置では、ブラシヘッド１１”がブラシ軸部分６３から分解され得る。この位置では、ブラシ軸５３が９０°だけ（図１６において右回りに）回転されると、カム６４がアーム５６の外端をカム６４の頂上にもたらし、それによりフック５６’が円筒本体６１から自由であり、本体６１に対して半径方向に押圧されたフック５６’の内方端先によりカム６４上に静止するよう滑り落ちるように、アーム５６を外方に曲げる。少しのそれ以上の回転により、フック５６の端部５６’はカム６４から開放され、軸６３から分離されるような本体６１上にそれ以上に下方に摺動し、それでブラシヘッド１１”を軸６３から分解させる。次に、新しいブラシヘッド１１”はブラシヘッドスリーブ５７を軸端部６３へ簡単に押圧することによって軸端部６３に取付けられ得て、必要ならば、ヘッドを僅かな角度回転させて、フック５６’をカム６４間に通過させ、本体６１の面６１’と相互保持させる。
【００２８】
図１８と１９は、この発明による別の清掃装置を例示し、この装置は水洗便所１’の水洗水槽２’に取付けられている。明白に記載された部品は変更されない記号を有する。さらに、２５はハウジングを示し、２７と３７はそれぞれに下上端カバーを示す。この装置は水槽壁２３の二つの孔２３’を使用する二つのねじ取付け具４９によって水槽壁２３に取付けられている。装置は図１９を参照してさらに詳細に記載される。
【００２９】
図１９は、図１８の装置の拡大寸法の部分断面である。図１８の表示を超過して、上リング要素３７はブラシ用の開口４１とばね３の上端３’用の支持体３６とを有する。ハウジング２５の外径とリング３７の内径の間に遊びがある。ハウジング２５にリング３７を取付けるために、リングは好ましくは一以上のピン３９を有し、リング３７の内面から内方に延びている。前記ピン３９は最初にリング３７を内方に押圧させることによって対応数のＪ形状スリット２６に入れられ、ピン３９がスリットの縦部分に入って、次にリングを僅かな角度回転させるので、ピン３９がスリット２６の主として下水平部分２６’を通過する。次に、リングは開放されて、その後に予め付勢されたばね３により上方に押圧されたピン３９がＪ形状スリット２６の天端２６”に静止する。
【００３０】
水槽への装置の二つの取付け具４９の下取付け具は水槽２’から装置へ且つその逆に水を通過させる中空ボルト３０を包含し、装置の水レベル１０’が水槽２内の水レベル１０に追従する。この方法では、取付け装置は図１の装置と同じ方法で作動する。
【００３１】
図２１は、水槽２の前面図である。水槽２の底における延長部１７は、ブラシが上方に移動されるときに下ばね端３’が延長部から持ち上げる限り持ち上げられない長さを有し、ブラシヘッド１１’、１１”の剛毛６は上方圧力をばねワイア巻数の下側に働かす。同じ方法では、支持リング２４の支持案内部分は、上ばね端３’がスリップしなく、ブラシヘッド１１’、１１”が下方に移動されるときに、自由になるように、設計されている。
【００３２】
図２２は図２１の水槽２の方向ＡーＡから見た観察図であり、図２３は図２１の断面ＢーＢである。先の表示１４と１４’はばね支持リング２４用の支持案内スロットを示す。
【００３３】
図２４は前記支持リング２４の図であり、図２５は図２４のリングの断面Ｃ−Ｃである。先の表示２２は支持リング２４に着座して、ブラシヘッド１１’を装置に入れる水槽２の開口に関し、１６はフランジであり、そして１８は上ばね端３’を支持するために配列された円筒状延長部である。リング２４の寸法に関して、先の段落を参照せよ。１９はブラシ１１’のテンプレート８の支持体用の受け面１９である。２１はブラシからこぼれ得る水を収集する水槽蓋９内の水樋の壁を示す。
【００３４】
上記は壁構造体やブラシとブラシヘッドの種々の実施例に関する。当業者が特許請求項に定義される如く、この発明の範囲内のそれ以上の実施例を発展させ得ることが明らかである。
【図面の簡単な説明】
【００３５】
【図１】この発明の好ましい実施例とこの発明の拡大部を示す。
【図２】螺旋ばねワイアとして形成された壁構造体の好ましい実施例を示す。
【図３】構造体の第二実施例の二つの形態の一方を示す。
【図４】構造体の第二実施例の一方の端面図を示す。
【図５】壁構造体の第二実施例の他方の形態を示す。
【図６】壁構造体の第二実施例を他方の形態の端面図を示す。
【図７】壁構造体の第三実施例を示す。
【図８】壁構造体の第四実施例を示す。
【図９】図７の構造体の端面図を示す。
【図１０】図８の構造体の端面図を示す。
【図１１】ハンドル、テンプレート、軸とブラシヘッドをもつブラシを示す。
【図１２】分解可能なブラシヘッドをもつブラシを示す。
【図１３】図１４のブラシヘッドの断面Ｖ−Ｖを示す。
【図１４】図１３のブラシヘッドの天辺観察面Ｕ−Ｕを示す。
【図１５】図１２のブラシの軸を示す。
【図１６】図１５のブラシ軸の下部分の観察面Ｙ−Ｙを示す。
【図１７】ブラシヘッドが軸から分解され得る位置の断面を示す。
【図１８】水洗水槽の外側に取付けられたこの発明による装置を示す。
【図１９】図１８の装置を拡大して部分的断面で示す。
【図２０】図１の水洗水槽の側面図を示す。
【図２１】図２０の水洗水槽の天辺観察面ＡーＡを示す。
【図２２】図２０の水洗水槽の断面ＢーＢを示す。
【図２３】図２のばね用の支持リングの平面図を示す。
【図２４】図２３の支持リングの断面ＣーＣを示す。
【符号の説明】
【００３６】
１．．．．水洗便所
２．．．．水槽
３．．．．ばね
３’．．．ばねの端部
３”．．．ばねの中間軸方向領域
４．．．．開口
５．．．．壁部分
６．．．．剛毛
７．．．．ブラシの軸
７’．．．ブラシのハンドル
８．．．．テンプレート
９．．．．水槽蓋
１０．．．通常レベル
１１．．．ブラシ
１１’．．ブラシヘッド
１１”．．ブラシヘッド
１５．．．矢印
１７．．．底延長部
１８．．．カラー
２４．．．支持リング
５３．．．軸
５６．．．アーム
５６’．．フック
５８．．．ブラシのハンドル
６０．．．切断部
６１．．．軸本体
６２．．．円錐状部分
６３．．．軸端部
６４．．．カム
３．１ー３．４．．．壁構造体
４．１ー４．４．．．開口
５．１ー５．４．．．中間壁部分
【図１】
2007530841.tif 000003
【図２】
2007530841.tif 000004
【図３】
2007530841.tif 000005
【図４】
2007530841.tif 000006
【図５】
2007530841.tif 000007
【図６】
2007530841.tif 000008
【図７】
2007530841.tif 000009
【図８】
2007530841.tif 000010
【図９】
2007530841.tif 000011
【図１０】
2007530841.tif 000012
【図１１】
2007530841.tif 000013
【図１２】
2007530841.tif 000014
【図１３】
2007530841.tif 000015
【図１４】
2007530841.tif 000016
【図１５】
2007530841.tif 000017
【図１６】
2007530841.tif 000018
【図１７】
2007530841.tif 000019
【図１８】
2007530841.tif 000020
【図１９】
2007530841.tif 000021
【図２０】
2007530841.tif 000022
【図２２】
2007530841.tif 000023
【図２２】
2007530841.tif 000024
【図２３】
2007530841.tif 000025
【図２４】
2007530841.tif 000026
【手続補正書】
【提出日】平成18年9月15日(2006.9.15)
【手続補正１】
【補正対象書類名】明細書
【補正対象項目名】００１８
【補正方法】変更
【補正の内容】
【００１８】
図４と６はそれぞれに図３と５の構造体３．１，３．２の端面図ＡーＡとＢーＢである。壁構造体３の直径はブラシヘッドの直径より小さい。
【手続補正２】
【補正対象書類名】明細書
【補正対象項目名】００３１
【補正方法】変更
【補正の内容】
【００３１】
図２０は、水槽２の側面図である。水槽２の底における延長部１７は、ブラシが上方に移動されるときに下ばね端３’が延長部から持ち上げる限り持ち上げられない長さを有し、ブラシヘッド１１’、１１”の剛毛６は上方圧力をばねワイア巻数の下側に働かす。同じ方法では、支持リング２４の支持案内部分は、上ばね端３’がスリップしなく、ブラシヘッド１１’、１１”が下方に移動されるときに、自由になるように、設計されている。
【手続補正３】
【補正対象書類名】明細書
【補正対象項目名】００３２
【補正方法】変更
【補正の内容】
【００３２】
図２１は図２０の水槽２の方向ＡーＡから見た図であり、図２２は図２０の断面ＢーＢである。先の記号１４と１４’はばね支持リング２４用の支持案内スロットを示す。
【手続補正４】
【補正対象書類名】明細書
【補正対象項目名】００３３
【補正方法】変更
【補正の内容】
【００３３】
図２３は前記支持リング２４の図であり、図２４は図２３のリングの断面Ｃ−Ｃである。先の記号２２は支持リング２４を着座して、ブラシヘッド１１’を装置に入れる水槽２の開口に関し、１６はフランジであり、そして１８は上ばね端３’を支持するために配列された円筒状延長部である。リング２４の寸法に関して、先の段落を参照せよ。１９はブラシ１１’のテンプレート８の支持体用の取付け具１９である。２１はブラシからこぼれ得る水を収集する水槽蓋９内の水樋の壁を示す。
【手続補正５】
【補正対象書類名】図面
【補正対象項目名】図１
【補正方法】変更
【補正の内容】
【図１】
2007530841.tif 000027
【手続補正６】
【補正対象書類名】図面
【補正対象項目名】図１１
【補正方法】変更
【補正の内容】
【図１１】
2007530841.tif 000028
【手続補正７】
【補正対象書類名】図面
【補正対象項目名】図１８
【補正方法】変更
【補正の内容】
【図１８】
2007530841.tif 000029
【手続補正８】
【補正対象書類名】図面
【補正対象項目名】図２１
【補正方法】変更
【補正の内容】
【図２１】
2007530841.tif 000030
【手続補正９】
【補正対象書類名】図面
【補正対象項目名】図２２
【補正方法】変更
【補正の内容】
【図２２】
2007530841.tif 000031
【国際調査報告】
2007530841.tif 000032
2007530841.tif 000033
2007530841.tif 000034